【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
版が所定位置に載置された版定盤を支持し、軌道上を第一の軌道案内部材を介して往復動する版台車と、
被印刷物が所定位置に載置された印刷定盤を支持し、前記版台車が往復動する軌道と同一の軌道上を第二の軌道案内部材を介し往復動する印刷台車と、
所定位置に回動可能に軸支され、前記版台車上の前記版との間での絵柄の転移と、前記印刷台車上の前記被印刷物との間の絵柄転写とが交互に行われるブランケット胴と、
を備える印刷装置であって、
前記第一の軌道案内部材と前記第二の軌道案内部材とが、それぞれ前記版台車と前記印刷台車とに同一の位置関係となるように配置され、前記版との間の絵柄の転移と、前記被印刷物との間の絵柄転写とが前記軌道上の同一位置で行われることを特徴とする印刷装置。
【請求項２】
前記ブランケット胴は、固定位置に回動可能に軸支されることを特徴とする請求項１に記載の印刷装置。
【請求項３】
前記版台車は、往復動する搬送台車に連結手段で連結され、前記搬送台車が往復動することにより、前記版定盤を往復動可能に移送することを特徴とする請求項１または２に記載の印刷装置。
【請求項４】
前記印刷台車は、往復動する搬送台車に連結手段で連結され、前記搬送台車が往復動することにより、前記印刷定盤を往復動可能に移送することを特徴とする請求項１または２に記載の印刷装置。
【請求項５】
版が所定位置に載置された版定盤を支持し、軌道上を駆動手段により往復動する搬送台車に連結手段で連結される版台車を備えることを特徴とする印刷装置。
【請求項６】
被印刷物が所定位置に載置された印刷定盤を支持し、軌道上を駆動手段により往復動する搬送台車に、連結手段で連結される印刷台車を備えることを特徴とする印刷装置。
【請求項７】
前記版台車または前記印刷台車と、前記搬送台車とは、一定方向の剛性が前記軌道案内部材の剛性よりも大きく、その他の方向の剛性は前記軌道案内部材の剛性よりも小さい連結手段で連結されることを特徴とする請求項３〜６のいずれか一つに記載の印刷装置。
【請求項８】
前記連結手段は、移送方向に対する中心部分が、少なくとも水平方向に薄肉化された棒状部材であることを特徴とする請求項７に記載の印刷装置。
【請求項９】
前記搬送台車は、前記版台車または前記印刷台車が往復動する軌道と同一軌道上を、第三の軌道案内部材を介して往復動することを特徴とする請求項３〜８のいずれか一つに記載の印刷装置。
【請求項１０】
前記版台車は、印刷に必要となる前記版の数に対応して複数設けられ、これら複数の前記版台車は、一つの前記搬送台車に連結されて、一定方向に往復動することを特徴とする請求項３〜９のいずれか一つに記載の印刷装置。
【請求項１１】
前記版台車と前記印刷台車は、共通の前記搬送台車に連結されて、一定方向に往復動することを特徴とする請求項３〜１０のいずれか一つに記載の印刷装置。
【請求項１２】
前記版台車または前記印刷台車または前記搬送台車は、リニアモータを駆動源として往復動することを特徴とする請求項１〜１１のいずれか一つに記載の印刷装置。
【請求項１３】
前記搬送台車と前記搬送台車の駆動源との接続部分は、当該搬送台車上で最も端にある前記連結手段の位置よりも、さらに当該搬送台車の移送方向で外側に位置することを特徴とする請求項１０〜１２のいずれか一つに記載の印刷装置。
【請求項１４】
架台上の所定位置に回動可能に軸支されるブランケット胴表面に、塗工手段により所定の樹脂を塗布し、
前記軌道上を第一の軌道案内部材を介して往復動する版台車を前記ブランケット胴直下に移動させ、当該版台車上の版定盤上で所定位置に支持された版を当該ブランケット胴に当接させることによって、当該ブランケット胴表面の樹脂を当該版に転移させ、
前記版台車を前記軌道上で前記ブランケット胴直下から退避させた後、前記軌道上を前記第一の軌道案内部材と同一の位置関係となるように配置された第二の軌道案内部材を介して往復動する印刷台車を、前記版が樹脂を転移された位置と同一位置にある当該ブランケット胴直下に移動させ、当該印刷台車上の印刷定盤上で所定位置に支持された被印刷物を当該ブランケット胴に当接させることによって、当該ブランケット胴表面に残された樹脂を当該被印刷物に絵柄転写させることを特徴とする印刷装置の姿勢誤差抑制方法。
【請求項１５】
架台上の所定位置に回動可能に軸支されるブランケット胴表面に、塗工手段により所定の樹脂を塗布し、
前記軌道上を第一の軌道案内部材を介して往復動する版台車を前記ブランケット胴直下に移動させ、当該版台車上の版定盤上で所定位置に支持された版を当該ブランケット胴に当接させることによって、当該ブランケット胴表面の樹脂を当該版に転移させ、
前記版台車を前記軌道上で前記ブランケット胴直下から退避させた後、前記軌道上を第二の軌道案内部材を介して往復動する印刷台車を、前記版が樹脂を転移された位置と同一位置にある当該ブランケット胴直下に移動させ、当該印刷台車上の印刷定盤上で所定位置に支持された被印刷物を当該ブランケット胴に当接させることによって、当該ブランケット胴表面に残された樹脂を当該被印刷物に絵柄転写させることを特徴とする印刷装置の姿勢誤差抑制方法であって、
前記版台車と前記印刷台車との少なくとも一方が、前記軌道上を往復動する搬送台車に連結手段で連結され、前記搬送台車が往復動することにより、前記版台車または前記印刷台車が往復動可能となることを特徴とする印刷装置の姿勢誤差抑制方法。
【手続補正２】
【補正対象書類名】明細書
【補正対象項目名】０００８
【補正方法】変更
【補正の内容】
【０００８】
上述した課題を解決し、目的を達成するために、本発明に係る印刷装置は、版が所定位置に載置された版定盤を支持し、軌道上を第一の軌道案内部材を介して往復動する版台車と、被印刷物が所定位置に載置された印刷定盤を支持し、前記版台車が往復動する軌道と同一の軌道上を第二の軌道案内部材を介し往復動する印刷台車と、所定位置に回動可能に軸支され、前記版台車上の前記版との間での絵柄の転移と、前記印刷台車上の前記被印刷物との間の絵柄転写とが交互に行われるブランケット胴と、を備える印刷装置であって、前記第一の軌道案内部材と前記第二の軌道案内部材とが、それぞれ前記版台車と前記印刷台車とに同一の位置関係となるように配置され、前記版との間の絵柄の転移と、前記被印刷物との間の絵柄転写とが前記軌道上の同一位置で行われるようにしたものである。
【手続補正３】
【補正対象書類名】明細書
【補正対象項目名】００１３
【補正方法】変更
【補正の内容】
【００１３】
また、本発明に係る印刷装置は、前記印刷装置において、前記版台車は、往復動する搬送台車に連結手段で連結され、前記搬送台車が往復動することにより、前記版定盤を往復動可能に移送するようにしたものである。
【手続補正４】
【補正対象書類名】明細書
【補正対象項目名】００１４
【補正方法】変更
【補正の内容】
【００１４】
版台車を往復動させる駆動手段としては、ラックアンドピニオン、ボールネジとナット、非接触の手段としてはリニアモータ等が挙げられるが、いずれの手段にしても、駆動対象に対して力を付与するので、駆動対象が直接的に版台車であれば、当該版台車が微少変形する。駆動手段がリニアモータである場合には、軌道方向に敷設されるマグネットによる吸引力で、通常台車の底部に配置されるモータコイル部分が吸引されて撓みを生じる。
【手続補正５】
【補正対象書類名】明細書
【補正対象項目名】００１５
【補正方法】変更
【補正の内容】
【００１５】
この発明では、版台車の代わりに当該版台車を載せた搬送台車が力を受ける。そして、版台車は、棒材等の連結手段で搬送台車に連結される。これにより、版台車は、駆動手段による微少変形を原因とする姿勢誤差に影響を受けなくなる。
【手続補正６】
【補正対象書類名】明細書
【補正対象項目名】００１６
【補正方法】変更
【補正の内容】
【００１６】
また、本発明に係る印刷装置は、前記印刷装置において、前記印刷台車は、往復動する搬送台車に連結手段で連結され、前記搬送台車が往復動することにより、前記印刷定盤を往復動可能に移送するようにしたものである。
【手続補正７】
【補正対象書類名】明細書
【補正対象項目名】００１７
【補正方法】変更
【補正の内容】
【００１７】
印刷台車も、上記版台車と同様に、駆動手段を駆動源として往復動する。この発明では、印刷台車の代わりに搬送台車が力を受ける。そして、棒材等の連結手段で印刷台車は搬送台車に連結される。これにより、印刷台車は、駆動手段による微少変形を原因とする姿勢誤差に影響を受けなくなる。
【手続補正８】
【補正対象書類名】明細書
【補正対象項目名】００３２
【補正方法】変更
【補正の内容】
【００３２】
また、本発明に係る印刷装置は、前記印刷装置において、前記版台車または前記印刷台車または前記搬送台車は、リニアモータを駆動源として往復動するようにしたものである。
【手続補正９】
【補正対象書類名】明細書
【補正対象項目名】００３３
【補正方法】変更
【補正の内容】
【００３３】
駆動源がリニアモータであれば、非接触で駆動できるので、接触型の駆動手段に比べて往復動に際しての移動誤差、姿勢誤差を少なくすることができる。また、接触型の駆動手段に特有のバックラッシもない。さらに、往復動における加速度が、ボールねじ等の接触型に比べて数倍高く、印刷時間の短縮に資する。
【手続補正１０】
【補正対象書類名】明細書
【補正対象項目名】００３４
【補正方法】変更
【補正の内容】
【００３４】
また、本発明に係る印刷装置は、前記印刷装置において、前記搬送台車と前記搬送台車の駆動源との接続部分は、当該搬送台車上で最も端にある前記連結手段の位置よりも、さらに当該搬送台車の移送方向で外側に位置するようにしたものである。
【手続補正１１】
【補正対象書類名】明細書
【補正対象項目名】００３５
【補正方法】変更
【補正の内容】
【００３５】
搬送台車には、駆動源となる駆動手段が付設されるが、当該駆動手段は、接触型、非接触型のいずれにしても、発熱する性質がある。この熱は、搬送台車の当該付設位置を中心として熱膨張を誘発させる。したがって、版台車等と搬送台車との連結部分のうち、最も端にある連結部分を当該熱膨張する部分よりも遠ざける位置にすることにより、熱膨張の影響を端部のみで受けるようにする。これにより、連結部分のうち、一部のみ熱膨張の影響を受けることがなくなり、各台車同士の距離は一定になるため、台車の位置制御にとって有利となる。
【手続補正１２】
【補正対象書類名】明細書
【補正対象項目名】００３６
【補正方法】変更
【補正の内容】
【００３６】
また、本発明に係る印刷装置の姿勢誤差抑制方法は、架台上の所定位置に回動可能に軸支されるブランケット胴表面に、塗工手段により所定の樹脂を塗布し、前記軌道上を第一の軌道案内部材を介して往復動する版台車を前記ブランケット胴直下に移動させ、当該版台車上の版定盤上で所定位置に支持された版を当該ブランケット胴に当接させることによって、当該ブランケット胴表面の樹脂を当該版に転移させ、前記版台車を前記軌道上で前記ブランケット胴直下から退避させた後、前記軌道上を前記第一の軌道案内部材と同一の位置関係となるように配置された第二の軌道案内部材を介して往復動する印刷台車を、前記版が樹脂を転移された位置と同一位置にある当該ブランケット胴直下に移動させ、当該印刷台車上の印刷定盤上で所定位置に支持された被印刷物を当該ブランケット胴に当接させることによって、当該ブランケット胴表面に残された樹脂を当該被印刷物に絵柄転写させるようにしたものである。
【手続補正１３】
【補正対象書類名】明細書
【補正対象項目名】００３７
【補正方法】変更
【補正の内容】
【００３７】
また、本発明に係る印刷装置の姿勢誤差抑制方法は、架台上の所定位置に回動可能に軸支されるブランケット胴表面に、塗工手段により所定の樹脂を塗布し、前記軌道上を第一の軌道案内部材を介して往復動する版台車を前記ブランケット胴直下に移動させ、当該版台車上の版定盤上で所定位置に支持された版を当該ブランケット胴に当接させることによって、当該ブランケット胴表面の樹脂を当該版に転移させ、前記版台車を前記軌道上で前記ブランケット胴直下から退避させた後、前記軌道上を第二の軌道案内部材を介して往復動する印刷台車を、前記版が樹脂を転移された位置と同一位置にある当該ブランケット胴直下に移動させ、当該印刷台車上の印刷定盤上で所定位置に支持された被印刷物を当該ブランケット胴に当接させることによって、当該ブランケット胴表面に残された樹脂を当該被印刷物に絵柄転写させることを特徴とする印刷装置の姿勢誤差抑制方法であって、前記版台車と前記印刷台車との少なくとも一方が、前記軌道上を往復動する搬送台車に連結手段で連結され、前記搬送台車が往復動することにより、前記版台車または前記印刷台車が往復動可能となるようにしたものである。